(57)【要約】  セクタパラメータ署名を使用してセクタを識別することを容易にするシステムおよび方法が説明される。署名は、前のセクタパラメータ署名（またはメッセージパラメータ）、システム時間、および識別子の知られている関数として生成されうる。この点で、モバイルデバイスは、セクタパラメータ署名をモバイルデバイスに知られているシステム時間の少なくとも一部に基づいて計算されたセクタパラメータ署名と比較することから予想される識別子を決定することができる。それに加えて、モバイルデバイスは、知られている、または推論された前のパラメータ署名を使用して予想される識別子を決定することができる。署名は、識別子とともに知られている変数を使用して生成されるので、複数の署名を評価して予想される識別子を決定し、正しい識別が得られる可能性を高めることができる。
2011504689.tif 000002
【特許請求の範囲】
【請求項１】
無線通信ネットワーク内のアクセスポイントを識別するための方法であって、
前のセクタパラメータ署名、識別子、および第１のセクタパラメータ署名を送信したシステム時間の少なくとも一部に基づいてアクセスポイントから該第１のセクタパラメータ署名を受信することと、
該前のセクタパラメータ署名、該システム時間、および予測された識別子の少なくとも一部に基づいて第２のセクタパラメータ署名を生成することと、
該第１のセクタパラメータ署名と該第２のセクタパラメータ署名とを比較して該識別子と該予測された識別子との一致を判定することとを備える方法。
【請求項２】
前記第１のセクタパラメータ署名を受信することに基づいて前記システム時間を決定することをさらに備える請求項１に記載の方法。
【請求項３】
前記識別子と前記予測された識別子との前記一致の少なくとも一部に基づいて前記アクセスポイントとの接続確立を要求することをさらに備える請求項１に記載の方法。
【請求項４】
前記接続確立は、異なるアクセスポイントと通信することに関係するセル再選択コマンドの一部として要求される請求項３に記載の方法。
【請求項５】
前記識別子と予測された識別子との前記一致の少なくとも一部に基づいて前記アクセスポイントにキャンプオンすることをさらに備える請求項１に記載の方法。
【請求項６】
前記第１のセクタパラメータ署名は、ブロードキャストオーバーヘッドメッセージで受信される請求項１に記載の方法。
【請求項７】
アクセスが前記アクセスポイントから望まれているかどうかを判定するために前記アクセスポイントからパイロット信号を受信することをさらに備える請求項１に記載の方法。
【請求項８】
前記識別子は、制限付きグループ識別子である請求項１に記載の方法。
【請求項９】
前記制限付きグループ識別子は、テキストベースである請求項８に記載の方法。
【請求項１０】
前記制限付きグループ識別子は、信号伝達、データアクセス、登録、および／またはサービスに関して前記アクセスポイントが制限されていることを示す請求項８に記載の方法。
【請求項１１】
前記第２のセクタパラメータ署名は、署名の生成されたランダムまたは擬似ランダム系列を使用して計算される請求項１に記載の方法。
【請求項１２】
無線通信装置であって、
前のセクタパラメータ署名、識別子、および第１のセクタパラメータ署名を送信したシステム時間の少なくとも一部に基づいてアクセスポイントから該第１のセクタパラメータ署名を受信し、
予測された識別子、該前のセクタパラメータ署名、および該システム時間を使用して第２のセクタパラメータメッセージを決定し、
該識別子と該予測された識別子とを比較してそれらの間の一致を判定するように構成された
少なくとも１つのプロセッサと、
該少なくとも１つのプロセッサに結合されたメモリとを備える無線通信装置。
【請求項１３】
無線ネットワーク内のアクセスポイントを識別することを容易にする無線通信装置であって、
アクセスポイントから第１のセクタパラメータ署名を受信するための手段と、
予測された識別子、前のセクタパラメータ署名、および該第１のセクタパラメータ署名を送信するためのシステム時間とともに知られている関数を使用して第２のセクタパラメータ署名を計算するための手段と、
該第１のセクタパラメータ署名と該第２のセクタパラメータ署名とを比較して該識別子と該予測された識別子との一致を判定するための手段とを備える無線通信装置。
【請求項１４】
コンピュータプログラム製品であって、
前のセクタパラメータ署名、識別子、および第１のセクタパラメータ署名を送信したシステム時間の少なくとも一部に基づいてアクセスポイントから該第１のセクタパラメータ署名を少なくとも１つのコンピュータに受信させるためのコードと、
該前のセクタパラメータ署名、該システム時間、および予測された識別子の少なくとも一部に基づいて第２のセクタパラメータ署名を該少なくとも１つのコンピュータに計算させるためのコードと、
該第１のセクタパラメータ署名と該第２のセクタパラメータ署名とを比較して該識別子と該予測された識別子との一致を該少なくとも１つのコンピュータに判定させるためのコードとを備える
コンピュータ可読媒体を備えるコンピュータプログラム製品。
【請求項１５】
前のセクタパラメータ署名、システム時間、および識別子の少なくとも一部に基づいて知られている関数を使用して生成されたセクタから第１のセクタパラメータ署名を受信するセクタパラメータ署名受信器と、
予測された識別子、該前のセクタパラメータ署名、および該システム時間を使用する知られている関数の少なくとも一部に基づいて第２のセクタパラメータ署名を計算する、該第１のセクタパラメータ署名と該第２のセクタパラメータ署名とを比較して該識別子と該予測された識別子との一致を判定する、セクタ識別子判定器とを備える装置。
【請求項１６】
前記識別子と前記予測された識別子との前記一致の少なくとも一部に基づいて前記セクタ内の通信を確立するセル再選択器をさらに備える請求項１５に記載の装置。
【請求項１７】
前記セル再選択器は、前記識別子と前記予測された識別子との識別された一致の少なくとも一部に基づいてアイドル通信モードにある前記セクタ内の通信を確立する請求項１６に記載の装置。
【請求項１８】
前記セクタパラメータ署名受信器は、１つまたは複数のブロードキャストオーバーヘッドメッセージで前記第１のセクタパラメータ署名を受信する請求項１５に記載の装置。
【請求項１９】
前記セル再選択器は、前記セクタに関係するアクセスポイントからパイロット信号を受信し、該パイロット信号内の識別子の少なくとも一部に基づいて該アクセスポイントからアクセスが望まれているかどうかを判定する請求項１５に記載の装置。
【請求項２０】
前記識別子は、制限付きグループ識別子である請求項１５に記載の装置。
【請求項２１】
前記制限付きグループ識別子は、テキストベースである請求項２０に記載の装置。
【請求項２２】
前記制限付きグループ識別子は、信号伝達、データアクセス、登録、および／またはサービスに関して前記アクセスポイントが制限されていることを示す請求項２０に記載の装置。
【請求項２３】
無線通信ネットワーク内のアクセスポイント識別を指示するための方法であって、
セクタ内の通信に関係する１つまたは複数のパラメータを備えるセクタパラメータメッセージを生成することと、
該セクタパラメータメッセージ、識別子、およびシステム時間の少なくとも一部に基づいてセクタパラメータ署名を生成することと、
識別を容易にするために無線ネットワークにより該セクタパラメータ署名を送信することとを備える方法。
【請求項２４】
前記セクタパラメータ署名、前記識別子、および第２のセクタパラメータ署名を送信することに関係する異なるシステム時間に応じて該第２のセクタパラメータ署名を送信することをさらに備える請求項２３に記載の方法。
【請求項２５】
前記セクタパラメータ署名は、ブロードキャストオーバーヘッドメッセージで送信される請求項２３に記載の方法。
【請求項２６】
前記セクタパラメータ署名を受信することに基づいて１つまたは複数のモバイルデバイスから接続確立要求を受信することをさらに備える請求項２３に記載の方法。
【請求項２７】
前記識別子は、制限付きグループ識別子を備える請求項２３に記載の方法。
【請求項２８】
前記制限付きグループ識別子は、テキストベースである請求項２７に記載の方法。
【請求項２９】
前記制限付きグループ識別子は、信号伝達、データアクセス、登録、および／またはサービスに関して前記セクタに関係するアクセスポイントが制限されていることを示す請求項２７に記載の方法。
【請求項３０】
無線通信装置であって、
セクタ内の通信に関係する１つまたは複数のパラメータを備えるセクタパラメータメッセージを生成し、
該セクタパラメータメッセージ、識別子、およびシステム時間の少なくとも一部に基づいてセクタパラメータ署名を生成し、
セクタ関係識別を容易にするために無線ネットワークにより該セクタパラメータ署名を送信するように構成された少なくとも１つのプロセッサと、
該少なくとも１つのプロセッサに結合されたメモリとを備える無線通信装置。
【請求項３１】
無線通信におけるアクセスポイント識別を指示することを容易にする無線通信装置であって、
前記セクタ内の通信に関係する１つまたは複数のパラメータを備えるセクタパラメータメッセージを生成するための手段と、
該セクタパラメータメッセージ、識別子、およびシステム時間の少なくとも一部に基づいてセクタパラメータ署名を生成するための手段と、
識別を容易にするために無線ネットワークにより該セクタパラメータ署名を送信するための手段とを備える無線通信装置。
【請求項３２】
コンピュータプログラム製品であって、
前記セクタ内の通信に関係する１つまたは複数のパラメータを備えるセクタパラメータメッセージを少なくとも１つのコンピュータに生成させるためのコードと、
該セクタパラメータメッセージ、識別子、およびシステム時間の少なくとも一部に基づいてセクタパラメータ署名を該少なくとも１つのコンピュータに生成させるためのコードと、
識別を容易にするために無線ネットワークにより該セクタパラメータ署名を該少なくとも１つのコンピュータに送信させるためのコードとを備えるコンピュータ可読媒体を備えるコンピュータプログラム製品。
【請求項３３】
セクタ内の通信に関係する１つまたは複数のパラメータを備えるセクタパラメータメッセージを生成するセクタパラメータメッセージ生成器と、
該セクタパラメータメッセージ、識別子、およびシステム時間の少なくとも一部に基づいてセクタパラメータ署名を生成するセクタパラメータ署名生成器と、
セクタ関係識別を容易にするために無線ネットワークにより該セクタパラメータ署名を送信するトランシーバとを備える装置。
【請求項３４】
前記セクタパラメータ署名生成器は、前記セクタパラメータ署名、前記識別子、および第２のセクタパラメータ署名を送信することに関係する異なるシステム時間に応じて該第２のセクタパラメータ署名を生成する請求項３３に記載の装置。
【請求項３５】
前記トランシーバは、ブロードキャストオーバーヘッドメッセージで前記セクタパラメータ署名を送信する請求項３３に記載の装置。
【請求項３６】
前記トランシーバは、前記セクタパラメータ署名を受信することに基づいて１つまたは複数のモバイルデバイスから接続確立要求を受信する請求項３３に記載の装置。
【請求項３７】
前記識別子は、制限付きグループ識別子を備える請求項３３に記載の装置。
【請求項３８】
前記制限付きグループ識別子は、テキストベースである請求項３７に記載の装置。
【請求項３９】
前記制限付きグループ識別子は、信号伝達、データアクセス、登録、および／またはサービスに関して前記セクタに関係するアクセスポイントが制限されていることを示す請求項３７に記載の装置。
【発明の詳細な説明】
【関連出願】
【０００１】
本出願は、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＩＤＬＥ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６３１号、２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＣＯＮＮＥＣＴＥＤ  ＳＴＡＴＥ  ＨＡＮＤＯＦＦ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６４１号、および２００７年１１月１６日に出願した「ＡＰＰＡＲＡＴＵＳ  ＡＮＤ  ＭＥＴＨＯＤ  ＴＯ  ＦＡＣＩＬＩＴＡＴＥ  ＭＡＮＡＧＥＭＥＮＴ  ＡＮＤ  ＡＤＶＥＲＴＩＳＥＭＥＮＴ  ＯＦ  ＮＥＩＧＨＢＯＲ  ＬＩＳＴＳ  ＩＮ  ＳＹＳＴＥＭＳ  ＷＩＴＨ  ＲＥＳＴＲＩＣＴＥＤ  ＡＳＳＯＣＩＡＴＩＯＮ」という表題の米国仮特許出願第６０／９８８，６４９号の利益を主張するものである。上記の出願は全体が参照により本明細書に組み込まれる。
【０００２】
それに加えて、本出願は、本出願と同時に出願され、本出願の譲受人に譲渡され、参照により本明細書に明示的に組み込まれている、同時係属の、「ＵＴＩＬＩＺＩＮＧ  ＲＥＳＴＲＩＣＴＩＯＮ  ＣＯＤＥＳ  ＩＮ  ＷＩＲＥＬＥＳＳ  ＡＣＣＥＳＳ  ＰＯＩＮＴ  ＣＯＮＮＥＣＴＩＯＮ  ＡＴＴＥＭＰＴＳ」という表題のＧａｖｉｎ  Ｈｏｒｎらによる米国特許出願（整理番号０７２３２４Ｕ１）、「ＦＡＶＯＲＩＮＧ  ＡＣＣＥＳＳ  ＰＯＩＮＴＳ  ＩＮ  ＷＩＲＥＬＥＳＳ  ＣＯＭＭＵＮＩＣＡＴＩＯＮＳ」という表題のＧａｖｉｎ  Ｈｏｒｎらによる米国特許出願（整理番号０７２３２４Ｕ２）、「ＵＴＩＬＩＺＩＮＧ  ＢＲＯＡＤＣＡＳＴ  ＳＩＧＮＡＬＳ  ＴＯ  ＣＯＮＶＥＹ  ＲＥＳＴＲＩＣＴＥＤ  ＡＳＳＯＣＩＡＴＩＯＮ  ＩＮＦＯＲＭＡＴＩＯＮ」という表題のＧａｖｉｎ  Ｈｏｒｎらによる米国特許出願（整理番号０７２３２４Ｕ３）、および「ＣＬＡＳＳＩＦＹＩＮＧ  ＡＣＣＥＳＳ  ＰＯＩＮＴＳ  ＵＳＩＮＧ  ＰＩＬＯＴ  ＩＤＥＮＴＩＦＩＥＲＳ」という表題のＧａｖｉｎ  Ｈｏｒｎらによる米国特許出願（整理番号０７２３２４Ｕ４）の関連出願である。
【技術分野】
【０００３】
以下の説明は、一般に、無線通信に関するものであり、より具体的には、無線通信ネットワーク内のアクセスポイントを識別することに関するものである。
【背景技術】
【０００４】
無線通信システムは、例えば、音声、データなどのさまざまな種類の通信コンテンツを提供するため広く展開されている。典型的な無線通信システムは、利用可能なシステムリソース（例えば、帯域幅、送信電力、…）を共有することにより複数のユーザとの通信をサポートすることができる多元接続システムであるものとしてよい。このような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、および同様のシステムを挙げることができる。それに加えて、これらのシステムは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）、３ＧＰＰ  ＬＴＥ（Ｌｏｎｇ  Ｔｅｒｍ  Ｅｖｏｌｕｔｉｏｎ）、ＵＭＢ（Ｕｌｔｒａ  Ｍｏｂｉｌｅ  Ｂｒｏａｄｂａｎｄ）などの仕様に適合しているものとしてよい。
【０００５】
一般に、無線多元接続通信システムは、複数のモバイルデバイスの通信を同時にサポートすることができる。それぞれのモバイルデバイスは、順方向リンクおよび逆方向リンク上の伝送により１つまたは複数の基地局と通信することができる。順方向リンク（またはダウンリンク）は、基地局から移動体デバイスへの通信リンクを指し、逆方向リンク（またはアップリンク）は、移動体デバイスから基地局への通信リンクを指す。さらに、モバイルデバイスと基地局との間の通信は、単一入力単一出力（ＳＩＳＯ）システム、多入力単一出力（ＭＩＳＯ）システム、多入力多出力（ＭＩＭＯ）システムなどを介して確立されうる。それに加えて、モバイルデバイスは、他のモバイルデバイスと（および／または基地局が他の基地局と）ピアツーピア無線ネットワーク構成で通信することができる。
【０００６】
ＭＩＭＯシステムは、通例、データ伝送用に複数の（ＮＴ）送信アンテナと複数の（ＮＲ）受信アンテナを使用している。これらのアンテナは、基地局とモバイルの両方に関係し、一例では、無線ネットワーク上のデバイス間の双方向通信を可能にしうる。モバイルデバイスがサービスエリア全域にわたって移動するときに、それらのデバイスによって通信に使用されるセルは、１つまたは複数のアクセスポイント（例えば、マクロセル、フェムトセル、など）間で再選択されうる。これは、例えば、利用可能なアクセスポイント、つまりそのサービングセクタが、現在のアクセスポイントよりもよい信号またはサービスを提供できる場合に発生しうる。モバイルデバイスは、信号品質、サービスレベルなどの１つまたは複数のセルもしくはセクタに関係するパラメータを測定することができ、またそれらのパラメータのうちの１つまたは複数のパラメータに基づきうる、望ましさの程度に応じてセルまたはセクタをランク付けすることができる。一例では、利用可能なアクセスポイントは、望ましい課金、カバレージ、サービスオプションなどの機能を備える所定のモバイルデバイスに対するホームアクセスポイントに関係しうる。したがって、通信に使用されるセルは、指定された範囲内にあるときにより望ましいアクセスポイントへ再選択されうる。
【発明の概要】
【０００７】
以下では、１つまたは複数の実施形態の基本的な理解を深められるように、そのような実施形態の単純化された概要を述べる。この概要は、すべての企図される実施形態の網羅的な概要ではなく、すべての実施形態の主要なまたはクリティカルな要素を同定することも、いずれかまたはすべての実施形態の範囲を線引きすることも意図されてはいない。その唯一の目的は、後で提示されるより詳細な説明の前置きとして、単純化された形で１つまたは複数の実施形態のいくつかの概念を提示することである。
【０００８】
１つまたは複数の実施形態および対応するその開示によれば、無線通信ネットワークにおける、アクセスポイント、またはそのセクタを識別することを容易にすることに関連してさまざまな態様が説明される。例えば、それぞれのセクタでアクセスポイントによって伝送されるセクタパラメータ署名は、識別に使用することができる。署名は、その後のメッセージで送信されるセクタパラメータが変更されたかどうかを識別するために使用することができるが、アクセスポイントのシステム時間およびセクタ識別子の関数とすることができる。追加のパラメータを使用することで、モバイルデバイスは、別のセクタパラメータメッセージを読み出さなくても署名から予想されるセクタ識別子を決定することができる。その後のセクタパラメータ署名を評価して、その後の予想されるセクタ識別子をさらに決定することができる。その後の識別子が、最初に決定された識別子と実質的に類似している場合には、モバイルデバイスは、そのセクタが高い確率で予想される識別子で識別されるセクタであると予測できる。セクタパラメータ署名のその後の評価をさらに行って、それぞれの一致する識別子が可能性を高める追加の予想される識別子を決定することができることは理解されるであろう。
【０００９】
関連する態様によれば、無線通信ネットワーク内のアクセスポイントを識別するための方法が提供される。この方法は、前のセクタパラメータ署名、識別子、および第１のセクタパラメータ署名を送信したシステム時間の少なくとも一部に基づいてアクセスポイントから第１のセクタパラメータ署名を受信することを含む。この方法は、前のセクタパラメータ署名、システム時間、および予測された識別子の少なくとも一部に基づいて第２のセクタパラメータ署名を計算することと、第１のセクタパラメータ署名と第２のセクタパラメータ署名とを比較して識別子と予測された識別子との一致を判定することとも含む。
【００１０】
他の態様は、無線通信装置に関係する。無線通信装置は、前のセクタパラメータ署名、識別子、および第１のセクタパラメータ署名を送信したシステム時間の少なくとも一部に基づいてアクセスポイントから第１のセクタパラメータ署名を受信し、予測された識別子、前のセクタパラメータ署名、およびシステム時間を使用して第２のセクタパラメータメッセージを決定するように構成された少なくとも１つのプロセッサを備えることができる。プロセッサは、識別子と予測された識別子とを比較してそれらの間の一致を判定するようにさらに構成される。無線通信装置は、少なくとも１つのプロセッサに結合されたメモリも備える。
【００１１】
さらに他の態様は、無線通信ネットワーク内のアクセスポイントを識別することを容易にする無線通信装置に関係する。無線通信装置は、アクセスポイントから第１のセクタパラメータ署名を受信するための手段と予測された識別子、前のセクタパラメータ署名、および第１のセクタパラメータ署名を送信したシステム時間とともに知られている関数を使用して第２のセクタパラメータ署名を計算するための手段とを備えることができる。無線通信装置は、それに加えて、第１のセクタパラメータ署名と第２のセクタパラメータ署名とを比較して識別子と予測された識別子との一致を判定するための手段を備えることができる。
【００１２】
さらに他の態様は、前のセクタパラメータ署名、識別子、および第１のセクタパラメータ署名を送信したシステム時間の少なくとも一部に基づいてアクセスポイントから第１のセクタパラメータ署名を少なくとも１つのコンピュータに受信させるためのコードを格納するコンピュータ可読媒体を有することができるコンピュータプログラム製品に関係する。コンピュータ可読媒体は、前のセクタパラメータ署名、システム時間、および予測された識別子の少なくとも一部に基づいて第２のセクタパラメータ署名を少なくとも１つのコンピュータに計算させるためのコードを備えることもできる。さらに、コンピュータ可読媒体は、第１のセクタパラメータ署名と第２のセクタパラメータ署名とを比較して識別子と予測された識別子との一致を少なくとも１つのコンピュータに判定させるためのコードを備えることができる。
【００１３】
さらに、追加の一態様は、装置に関係する。装置は、前のセクタパラメータ署名、システム時間、および識別子の少なくとも一部に基づいて知られている関数を使用して生成されたセクタから第１のセクタパラメータ署名を受信するセクタパラメータ署名受信器を備えることができる。装置は、予測された識別子、前のセクタパラメータ署名、およびシステム時間を使用する知られている関数の少なくとも一部に基づいて第２のセクタパラメータ署名を計算するセクタ識別子判定器をさらに備えることができ、セクタ識別子判定器は、第１のセクタパラメータ署名と第２のセクタパラメータ署名とを比較して識別子と予測された識別子との一致を判定する。
【００１４】
追加の態様によれば、無線通信ネットワーク内のアクセスポイントの識別を指示するための方法が提供される。この方法は、セクタ内の通信に関係する１つまたは複数のパラメータを備えるセクタパラメータメッセージを生成することと、セクタパラメータメッセージ、識別子、およびシステム時間の少なくとも一部に基づいてセクタパラメータ署名を生成することとを含むことができる。この方法は、識別を容易にするために無線ネットワークによりセクタパラメータ署名を送信することも含みうる。
【００１５】
他の態様は、無線通信装置に関係する。無線通信装置は、セクタ内の通信に関係する１つまたは複数のパラメータを備えるセクタパラメータメッセージを生成し、セクタパラメータメッセージ、識別子、およびシステム時間の少なくとも一部に基づいてセクタパラメータ署名を生成するように構成された少なくとも１つのプロセッサを備えることができる。プロセッサは、セクタに関係する識別を容易にするために無線ネットワークによりセクタパラメータ署名をブロードキャストするようにさらに構成される。無線通信装置は、少なくとも１つのプロセッサに結合されたメモリも備える。
【００１６】
さらに他の態様は、無線通信においてアクセスポイントの識別を指示することを容易にする無線通信装置に関係する。無線通信装置は、セクタ内の通信に関係する１つまたは複数のパラメータを備えるセクタパラメータメッセージを生成するための手段と、セクタパラメータメッセージ、識別子、およびシステム時間の少なくとも一部に基づいてセクタパラメータ署名を生成するための手段とを備えることができる。無線通信装置は、それに加えて、識別を容易にするために無線ネットワークによりセクタパラメータ署名を送信するための手段も備えることができる。
【００１７】
さらに他の態様は、セクタ内の通信に関係する１つまたは複数のパラメータを備えるセクタパラメータメッセージを少なくとも１つのコンピュータに生成させるためのコードを格納するコンピュータ可読媒体を有することができる、コンピュータプログラム製品に関係する。コンピュータ可読媒体は、セクタパラメータメッセージ、識別子、およびシステム時間の少なくとも一部に基づいてセクタパラメータ署名を少なくとも１つのコンピュータに生成させるためのコードも備えることができる。さらに、コンピュータ可読媒体は、識別を容易にするために無線ネットワークによりセクタパラメータ署名を少なくとも１つのコンピュータに送信させるためのコードを備えることができる。
【００１８】
さらに、追加の一態様は、装置に関係する。この装置は、セクタ内の通信に関係する１つまたは複数のパラメータを備えるセクタパラメータメッセージを生成するセクタパラメータメッセージ生成器と、セクタパラメータメッセージ、識別子、およびシステム時間の少なくとも一部に基づいてセクタパラメータ署名を生成するセクタパラメータ署名生成器とを備えることができる。装置は、セクタに関係する識別を容易にするために無線ネットワークによりセクタパラメータ署名を送信するトランシーバをさらに備えることができる。
【００１９】
前述の目的および関連する目的の達成のために、１つまたは複数の実施形態は、下で十分に説明され、特に特許請求の範囲で指摘される特徴を備える。次の説明および添付図面は、その１つまたは複数の実施形態のある種の例示的態様を詳細に示す。ただし、これらの態様はさまざまな実施形態の原理を採用するさまざまな方法の少数のみを示しており、説明されている実施形態はこのような態様およびその等価物すべてを含むことを意図されている。
【図面の簡単な説明】
【００２０】
【図１】本明細書で説明されるさまざまな態様による無線通信システムを示す図。
【図２】セル再選択を容易にする無線通信システムを示す図。
【図３】無線通信環境内で使用するための例示的な通信装置を示す図。
【図４】セクタパラメータ署名からセクタを識別することを実行する例示的な無線通信システムを示す図。
【図５】無線ネットワーク内でセル再選択を実行することを容易にする例示的な方法を示す図。
【図６】セクタパラメータ署名からセクタ識別を判定することを容易にする例示的な方法を示す図。
【図７】セクタを識別するセクタパラメータ署名を生成することを容易にする例示的な方法を示す図。
【図８】モバイルデバイスから受信されたセクタパラメータ署名を使用してセクタを識別することを容易にする例示的なモバイルデバイスを示す図。
【図９】セクタ識別を容易にするために知られている関数を使用してセクタパラメータ署名を生成する例示的なシステムを示す図。
【図１０】本明細書で説明されているさまざまなシステムおよび方法とともに使用されうる例示的な無線ネットワーク環境を示す図。
【図１１】セクタパラメータ署名に関して知られている関数を使用してセクタを識別する例示的なシステムを示す図。
【図１２】セクタを識別する生成されたセクタパラメータ署名を送信する例示的なシステムを示す図。
【発明を実施するための形態】
【００２１】
次に、さまざまな実施形態について、図面を参照しつつ説明するが、図面全体を通して、同様の符号は同様の要素を参照するのに使用される。以下の説明では、説明を目的として、１つまたは複数の実施形態を完全に理解できるように多数の具体的な詳細を示す。しかし、このような実施形態は、そうした具体的詳細を知らなくても実施できることは明白であると思われる。他の場合には、１つまたは複数の実施形態の説明を容易にするために、周知の構造およびデバイスを、ブロック図形式で示す。
【００２２】
本出願で使用されているように、「コンポーネント」、「モジュール」、「システム」、および同様の用語は、コンピュータ関連のエンティティ、つまりハードウェア、ファームウェア、ハードウェアとソフトウェアの組合せ、ソフトウェア、または実行中のソフトウェアのいずれかを指すことを意図されている。例えば、コンポーネントは、限定はしないが、プロセッサ上で動作するプロセス、プロセッサ、オブジェクト、実行可能ファイル、実行のスレッド、プログラム、および／またはコンピュータとすることができる。一例として、コンピューティングデバイスで動作するアプリケーションとそのコンピューティングデバイスとの両方を、コンポーネントとすることができる。１つまたは複数のコンポーネントが、１つのプロセスおよび／または実行のスレッド内に常駐することができ、１つのコンポーネントを、１つのコンピュータ上に局所化し、かつ／または複数のコンピュータの間で分散させることができる。それに加えて、これらのコンポーネントは、そこにさまざまなデータ構造を格納されたさまざまなコンピュータ可読媒体から実行することができる。コンポーネントは、１つまたは複数のデータパケットを有する信号（例えば、信号によって、ローカルシステム内の別のコンポーネント、分散システム、および／または他のシステムとのインターネットなどのネットワークにまたがって相互作用するあるコンポーネントからのデータ）によるなど、ローカルプロセスおよび／またはリモートプロセスによって通信することができる。
【００２３】
さらに、さまざまな実施形態を、本明細書で移動体デバイスに関連して説明する。モバイルデバイスは、システム、加入者ユニット、加入者ステーション、移動局、移動体、遠隔ステーション、遠隔端末、アクセス端末、ユーザ端末、端末、無線通信デバイス、ユーザエージェント、ユーザデバイス、またはユーザ機器（ＵＥ）と称されうる。モバイルデバイスは、携帯電話、コードレス電話機、セッションイニシエーションプロトコル（ＳＩＰ）電話機、無線ローカルループ（ＷＬＬ）ステーション、携帯情報端末（ＰＤＡ）、無線接続機能を有するハンドヘルドデバイス、コンピューティングデバイス、または無線モデムに接続された他の処理デバイスとすることができる。さらに、さまざまな実施形態を、本明細書で基地局に関連して説明する。基地局は、モバイルデバイス（１つまたは複数）と通信するのに利用することができ、また、アクセスポイント、Ｎｏｄｅ  Ｂ、ｅｖｏｌｖｅｄ  Ｎｏｄｅ  Ｂ（ｅＮｏｄｅ  ＢまたはｅＮＢ）、基地トランシーバ局（ＢＴＳ）と称されるか、または他の何らかの名称で称することもできる。
【００２４】
さらに、本明細書で説明されるさまざまな態様または特徴を、標準的なプログラミング技法および／または工学技法を使用して、方法、装置、または製造品として実施することができる。本明細書で使用されるような「製造品」という用語は、任意のコンピュータ可読デバイス、搬送波、または媒体からアクセス可能なコンピュータプログラムを包含することが意図されている。例えば、コンピュータ可読媒体としては、限定はしないが、磁気記憶デバイス（例えば、ハードディスク、フロッピー（登録商標）ディスク、磁気ストリップなど）、光ディスク（例えば、コンパクトディスク（ＣＤ）、デジタル多用途ディスク（ＤＶＤ）など）、スマートカード、およびフラッシュメモリデバイス（例えば、ＥＰＲＯＭ、カード、スティック、キードライブなど）が挙げられる。さらに、本明細書で説明するさまざまな記憶媒体は、情報を格納する１つまたは複数のデバイスおよび／あるいは他の機械可読媒体を表すことができる。「機械可読媒体」という用語は、限定はしないが、命令（１つまたは複数）および／またはデータを格納すること、含むこと、および／または搬送することのできる無線チャネルおよびさまざまな他の媒体を含むことができる。
【００２５】
本明細書で説明されている技術は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一搬送波周波数領域多重化（ＳＣ−ＦＤＭＡ）、および他のシステムなどのさまざまな無線通信システムに使用することができる。用語「システム」、「網」、および「ネットワーク」は、しばしば交換可能に使用される。符号分割多元接続システムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＤＭＡ２０００、その他などの無線テクノロジを実施することができる。ＵＴＲＡは、Ｗｉｄｅｂａｎｄ−ＣＤＭＡ（Ｗ−ＣＤＭＡ）およびＣＤＭＡの他の変更形態を含む。ＣＤＭＡ２０００は、ＩＳ−２０００標準規格、ＩＳ−９５標準規格、およびＩＳ−８５６標準規格を包含する。時分割多元接続システムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線テクノロジを実施することができる。直交周波数分割多元接続システムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ、などの無線テクノロジを実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、Ｅ−ＵＴＲＡを使用する来るリリースであり、Ｅ−ＵＴＲＡは、ダウンリンクでＯＦＤＭＡ、アップリンクでＳＣ−ＦＤＭＡを使用する。ＵＴＲＡ、Ｅ−ＵＴＲＡ、ＵＭＴＳ、ＬＴＥ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。
【００２６】
そこで図１を参照すると、本明細書で提示されるさまざまな実施形態による無線通信システム１００が示されている。システム１００は、複数のアンテナグループを含むことができる基地局１０２を備える。例えば、１つのアンテナグループは、アンテナ１０４および１０６を含むことができ、別のグループは、アンテナ１０８および１１０を備えることができ、追加のグループは、アンテナ１１２および１１４を含むことができる。２つのアンテナが、アンテナグループ毎に図示されているが、より多数またはより少数のアンテナを、グループ毎に利用することができる。基地局１０２は、さらに、送信機チェーンおよび受信機チェーンを含むことができ、送信機チェーンおよび受信機チェーンのそれぞれは、当業者によって了解されるように、信号の送信および受信に関連する複数のコンポーネント（例えば、プロセッサ、変調器、多重化装置、復調器、多重分離装置、アンテナなど）を備えることができる。
【００２７】
基地局１０２は、モバイルデバイス１１６およびモバイルデバイス１２６などの１つまたは複数のモバイルデバイスと通信することができるが、基地局１０２が、モバイルデバイス１１６および１２６に類似する実質的に任意の個数のモバイルデバイスと通信できることは理解されるであろう。モバイルデバイス１１６および１２６は、例えば、携帯電話、スマートホン、ラップトップ機、ハンドヘルド通信デバイス、ハンドヘルドコンピューティングデバイス、衛星ラジオ、全地球測位システム、ＰＤＡ、および／または無線通信システム１００を介して通信する任意の他の適切なデバイスとすることができる。図に示されているように、モバイルデバイス１１６は、アンテナ１１２および１１４と通信状態にあり、アンテナ１１２および１１４は、順方向リンク１１８上でモバイルデバイス１１６に情報を送信し、逆方向リンク１２０上でモバイルデバイス１１６から情報を受信する。周波数分割複信（ＦＤＤ）システムでは、例えば、順方向リンク１１８は、逆方向リンク１２０によって使用される周波数と異なる周波数を使用することができる。さらに、時分割複信（ＴＤＤ）システムでは、順方向リンク１１８および逆方向リンク１２０は、共通の周波数を使用することができる。
【００２８】
アンテナのそれぞれのグループおよび／またはそれらが通信するように指定されたエリアを、基地局１０２のセクタまたはセルと呼ぶことができる。例えば、アンテナグループは、基地局１０２によってカバーされるエリアの１つのセクタ内にあるモバイルデバイスと通信するように設計されうる。順方向リンク１１８を介する通信では、基地局１０２の送信アンテナは、モバイルデバイス１１６の順方向リンク１１８の信号対雑音比を改善するのにビームフォーミングを利用することができる。また、基地局１０２は、関連するカバレージを介してランダムに散在するモバイルデバイス１１６に送信するのにビームフォーミングを利用するが、隣接セル内のモバイルデバイスは、単一のアンテナを介してすべてのモバイルデバイスに送信する基地局と比較して、より少ない干渉を受ける可能性がある。さらに、モバイルデバイス１１６および１２６は、ピアツーピアまたはアドホック技術を使用して互いに直接通信することができる。
【００２９】
それに加えて、基地局１０２は、バックホールリンク接続を介して、無線サービスアクセスネットワーク（例えば、３Ｇネットワーク）を含む１つまたは複数のネットワークであってもよい、ネットワーク１２２と通信することができる。ネットワーク１２２は、モバイルデバイス１１６および１２６に関係するアクセスパラメータおよびサービスをデバイス１１６および１２６に提供するための無線アクセスネットワークの他のパラメータに関する情報を格納することができる。さらに、フェムトセル１２４は、順方向リンク１２８および逆方向リンク１３０（上述のように、順方向リンク１１８および逆方向リンク１２０と同様）上でモバイルデバイス１２６との通信を容易にするために備えることができる。フェムトセル１２４は、基地局１０２とほぼ同じであるが、ただしスケールが小さい、１つまたは複数のモバイルデバイス１２６へのアクセスを提供することができる。一例では、フェムトセル１２４は、住宅、企業、および／または他の近距離設定（例えば、テーマパーク、スタジアム、共同住宅など）内に構成されうる。フェムトセル１２４は、一例では、ブロードバンドインターネット接続（Ｔ１／Ｔ３、デジタル加入者回線（ＤＳＬ）、ケーブルなど）を経由することができる、バックホールリンク接続を使用してネットワーク１２２に接続することができる。ネットワーク１２２は、同様に、モバイルデバイス１２６のアクセス情報を提供することができる。
【００３０】
一例によれば、モバイルデバイス１１６および１２６は、異なる基地局間でおよび／または移動中のフェムトセル間でセル再選択を実行するサービスエリア上を移動することができる。この点で、モバイルデバイス１１６および１２６は、モバイルデバイス１１６および１２６のユーザに連続的な無線サービスをシームレスに提供することができる。一例（図示されていない）では、モバイルデバイス１２６は、モバイルデバイス１１６と同様に基地局１０２と通信している可能性があり、フェムトセル１２４の指定された範囲内に移動している可能性がある。この点で、モバイルデバイス１２６は、より望ましい無線サービスアクセスを受けるためにフェムトセル１２４に関係する１つまたは複数のセルを再選択している場合がある。一例では、フェムトセル１２４は、より望ましい課金および／または他のアクセスオプションを提供するモバイルデバイス１２６に対するホームアクセスポイントとなりうる。他の例では、フェムトセル１２４は、各企業または現場に合わせて手直しされたオプションまたはデータを提供する企業または現場に関係しうる。したがって、モバイルデバイス１２６は、そのような手直しされたオプションを受け取るために、アイドルおよび／または接続モードで、フェムトセル１２４に関係する１つまたは複数のセルを再選択することができる。それに加えて、モバイルデバイス１２６は、基地局１０２の方へ移動するとともに、さまざまな理由からそれに関係するセルを再選択することができる（例えば、フェムトセル１２４に対する干渉を緩和するため、より最適な信号もしくはスループット向上を受けるため、など）。
【００３１】
サービスエリア上で移動中、モバイルデバイス１１６および／または１２６は、利用可能な基地局（基地局１０２など）、フェムトセル（フェムトセル１２４など）、および／または他のアクセスポイントを連続的に測定して、セル再選択がモバイルデバイス１１６および／または１２６にとっていつ都合がよいかを判定することができる。測定は、例えば、信号品質、スループット、利用可能なサービス、アクセスポイントに関係する無線アクセスプロバイダ、および／または同様のものを評価することを含むことができる。測定結果の１つまたは複数に基づき、モバイルデバイス１１６および／または１２６は、再選択のためにアクセスポイントのランク付けを行うことができる。順序付けを決定した後、モバイルデバイス１１６および／または１２６は、最上位のアクセスポイントに対するセル再選択を試みることができる。それに加えて、モバイルデバイス１１６および／または１２６は、アクセス可能なアクセスポイントおよび／またはアクセス可能なアクセスポイントのグループのリストを維持することができる。アクセス可能なアクセスポイントは、例えば、モバイルデバイス１１６および／または１２６がアクセスを許可されている、および／またはアクセスが他のアクセスポイントより好ましいか、または他の何らかの形で有利であるとされる制限付きアソシエーションアクセスポイントに関係するものとすることができる。
【００３２】
一例では、フェムトセル１２４は、そのような制限付きアソシエーションアクセスポイントとすることができる。制限付きアソシエーションアクセスポイントは、例えば、それぞれのアクセスポイントがいくつかのサービスをいくつかのモバイルデバイス（例えば、モバイルデバイス１１６および／または１２６）に提供するが、必ずしも他のモバイルデバイスまたはアクセス端末（図示されていない）には提供しないいくつかの態様において制限されうる。例えば、フェムトセル１２４は、他のモバイルデバイスまたはアクセス端末に、登録、信号伝達、音声電話、データアクセス、および／または追加サービスを提供しないように制限されうる。制限付きアソシエーションアクセスポイントは、アドホック方式で展開されうる。例えば、所定の自宅所有者が、自宅用に制限付きアクセスポイントを設置し、構成することができる。
【００３３】
一例では、モバイルデバイス１１６および／または１２６は、アクセスポイント（１つまたは複数）に関係するブロードキャスト信号内の１つまたは複数のインジケータの少なくとも一部に基づいて１つまたは複数の利用可能なアクセスポイントを識別することができる。１つまたは複数のインジケータを受信した後、モバイルデバイス１１６および／または１２６は、アクセスポイント（１つまたは複数）がリスト内にあること、または関係するグループ識別子がリスト内にあることを確認してから、セル再選択を試みることができる。他の例では、モバイルデバイス１１６および／または１２６は、ランク付けのためにパラメータを測定する前にそのリストとアクセスポイントとの関連付けを検証することができる。
【００３４】
一例では、モバイルデバイス１１６および／または１２６は、基地局１０２および／またはフェムトセル１２４などのアクセスポイントの識別子、関係するグループ識別子、および／またはオーバーヘッドブロードキャストメッセージでアクセスポイントによって送信される１つまたは複数のセクタパラメータ署名を評価することに少なくとも一部は基づくセクタ識別子を決定することができる。例えば、基地局１０２および／またはフェムトセル１２４は、前のパラメータに関してセクタパラメータが変更されたかどうかを示す、所定のセクタに対するセクタパラメータ署名を送信することができる。署名は、前のセクタパラメータ署名、アクセスポイントのシステム時間、およびセクタ、アクセスポイント、および／またはグループ識別子とすることができる識別子の関数として生成されうる。署名を生成するために追加パラメータを使用することができることは理解されるであろう。モバイルデバイス１１６および／または１２６は、セクタパラメータ署名を受信して、システム時間を使用する署名、前の署名、すでに受信されているセクタ識別子などの少なくとも一部に基づいて予想されるセクタ識別子を計算することができる。
【００３５】
例えば、署名を計算するための知られている関数は、ハッシュ関数、擬似雑音系列関数、および／または最初の署名、最初の署名が確認された以降のシステム時間の変更、および識別子から効率的に計算されうる署名のランダムまたは擬似ランダム系列を生成することができる実質的に任意の関数とすることができる。一例によれば、ランダム系列は、隣接セル間の衝突を回避するために署名とともに使用することができる（例えば、隣接セルは、典型的には、それぞれが異なる識別子を有し、毎回署名が識別子に基づいてランダムに変更される場合にはあまり頻繁には同じセクタパラメータ署名を広告しない）。
【００３６】
一例によれば、モバイルデバイス１１６および／または１２６は、基地局１０２および／またはフェムトセル１２４の所定のセクタに対しセクタパラメータがいつ変化したかを判定するためにセクタ識別に関係なくセクタパラメータ署名を受信することができる。署名は、時間の関数として変化し、またランダムである場合があるため、隣接セクタ間の衝突は最小限度に抑えられる。モバイルデバイス１１６および／または１２６は、所定のセクタに対する複数の署名を分析し、それぞれのセクタに対する予想されるセクタパラメータ署名を計算することができ、計算されたセクタパラメータ署名が受信された署名と一致した場合、モバイルデバイス１１６および／または１２６は、そのセクタが識別されたと結論することができる。これは、署名が識別子、時間、および前の署名の関数であるためそうである。したがって、受信された署名間の衝突は、１つまたは複数のその後の署名を計算し、それらの署名とそのセクタ内で受信され署名とを比較することによって解決できる可能性が高い。この点で、モバイルデバイス１１６および／または１２６は、セクタ、アクセスポイント、および／またはグループを識別するために実際のパラメータを備えるその後のセクタパラメータメッセージを受信して評価する必要はない。それに加えて、セクタパラメータ署名は、セクタパラメータメッセージに比べて頻繁に送信されうる。したがって、署名を評価してセクタを識別することは、例えば、セクタ識別の際のモバイルデバイス１１６および／または１２６の時間とリソースの節約につながると考えられる。モバイルデバイス１１６および／または１２６によるその後の解釈のために前記の知られている関数では実質的にどのような種類の識別子をも使用できることは理解されるであろう。
【００３７】
次に、図２を参照すると、多数のモバイルデバイスをサポートするように構成されている無線通信システム２００が例示されている。システム２００は、例えば、マクロセル２０２Ａ〜２０２Ｇなどの複数のセルに対し通信を提供し、それぞれのセルは対応するアクセスポイント２０４Ａ〜２０４Ｇによるサービスを受ける。すでに説明されているように、例えば、マクロセル２０２Ａ〜２０２Ｇに関係するアクセスポイント２０４Ａ〜２０４Ｇは、基地局とすることができる。モバイルデバイス２０６Ａ〜２０６Ｉは、無線通信システム２００全体におけるさまざまな場所に分散されているように示されている。それぞれのモバイルデバイス２０６Ａ〜２０６Ｉは、説明されているように、順方向リンクおよび／または逆方向リンク上で１つまたは複数のアクセスポイント２０４Ａ〜２０４Ｇと通信することができる。それに加えて、アクセスポイント２０８Ａ〜２０８Ｃも示されている。これらは、フェムトセルなどの、スケールの小さなアクセスポイントとすることができ、説明されているように、特定のサービスロケーションに関係するサービスを提供する。モバイルデバイス２０６Ａ〜２０６Ｉは、それに加えて、提供されるサービスを受け取るためにこれらのスケールの小さなアクセスポイント２０８Ａから２０８Ｃと通信することができる。無線通信システム２００は、一例では広い地理的領域でサービスを提供することができる（例えば、マクロセル２０２Ａ〜２０２Ｇは、近隣の数ブロックをカバーすることができ、フェムトセルアクセスポイント２０８Ａ〜２０８Ｃは、住宅地、オフィスビル、および／または説明されているような同様のものなどの領域内に存在することができる）。一例では、モバイルデバイス２０６Ａ〜２０６Ｉは、放送で、および／またはバックホール接続で、アクセスポイント２０４Ａ〜２０４Ｇおよび／または２０８Ａ〜２０８Ｃとの接続を確立することができる。
【００３８】
それに加えて、図示されているように、モバイルデバイス２０６Ａ〜２０６Ｉは、システム２００全域を移動することができ、また異なるマクロセル２０２Ａ〜２０２Ｇまたはフェムトセルカバレージエリアを通るときにさまざまなアクセスポイント２０４Ａ〜２０４Ｇおよび／または２０８Ａ〜２０８Ｃに関係するセルを再選択することができる。一例では、モバイルデバイス２０６Ａ〜２０６Ｉのうちの１つまたは複数のモバイルデバイスは、フェムトセルアクセスポイント２０８Ａ〜２０８Ｃのうちの少なくとも１つに関係するホームフェムトセルに関連付けられうる。例えば、モバイルデバイス２０６Ｉは、ホームフェムトセルとしてフェムトセルアクセスポイント２０８Ｂに関連付けられうる。したがって、モバイルデバイス２０６Ｉはマクロセル２０２ｂ内にあり、したがってアクセスポイント２０４Ｂのカバレージエリア内にあるけれども、これは、アクセスポイント２０４Ｂの代わりに（またはそれに加えて）フェムトセルアクセスポイント２０８Ｂと通信することができる。一例では、フェムトセルアクセスポイント２０８Ｂは、望ましい課金または料金、分単位使用量、高度サービス（例えば、より高速なブロードバンドアクセス、メディアサービスなど）などの付加的サービスをモバイルデバイス２０６Ｉに提供することができる。したがって、モバイルデバイス２０６Ｉが、フェムトセルアクセスポイント２０８Ｂの範囲内にある場合、これは、再選択においてフェムトセルアクセスポイント２０８Ｂを優遇することによってそれと通信するように制御されうる。
【００３９】
例えば、モバイルデバイス２０６Ｄは、フェムトセルアクセスポイント２０８Ｃに関連付けられうる。モバイルデバイス２０６Ｄが、マクロセル２０２Ｃから２０２Ｄへ移動し、アクセスポイント２０４Ｄおよび／または２０８Ｃに近づくにつれ、これは、本明細書で説明されているように、セル再選択プロセスを開始することができる。これは、例えば、望ましい接続を決定するために周囲セルパラメータ（例えば、アクセスポイント２０４Ｃ、２０４Ｄ、および２０８Ｃに関係する）を測定することを含むことができる。これらのパラメータは、例えば、信号品質、接続スループット、提供されるサービス、アクセスポイントに関係するサービスプロバイダ、および／または同様のものに関係するものとすることができる。モバイルデバイス２０６Ｄは、それに加えて、説明されているように、アクセス可能なアクセスポイントのリスト内に載っているとおりであるかアクセスポイントの識別子を検証することができる。このリストは、それに加えて、または代替として、アクセスポイントのグループ識別子をリスト内のグループ識別子で検証できるアクセスポイントのグループを識別することができる。前記の例では、モバイルデバイス２０６Ｄは、アクセスポイント２０４Ｃ、２０４Ｄ、および２０８Ｃに対するパラメータを測定して、セルのランク付けを行い、アクセスポイント２０４Ｃから他のアクセスポイントのうちの１つへのセル再選択を、そのランクが高い場合に実行するかどうかを決定することができる。前の例と同様に、フェムトセルアクセスポイント２０８Ｃが、モバイルデバイス２０６Ｄのホームフェムトセルに関係する場合、これは、それを再選択のために優遇することができる（例えば、加えられたパラメータオフセットを評価してその値および／またはヒステリシスを増やし他のアクセスポイントのパラメータ値を減らすことによって）。異なるアクセスポイント２０４Ｄおよび／または２０８Ｃのうちの１つまたは複数が、アクセスポイント２０４Ｃよりランクが上である場合、モバイルデバイス２０６Ｄは、アイドルモードであるか、または接続モードであるかに関係なく、異なるアクセスポイント２０４Ｄまたは２０８Ｃに関係する１つまたは複数のセルを再選択することができる。
【００４０】
一例では、異なるアクセスポイント２０４Ｄおよび／または２０８Ｃのうちの１つまたは複数は、一部のモバイルデバイスでは接続できない制限付きアソシエーション付けを実行することができ、および／またはアクセスポイント２０４Ｄおよび／または２０８Ｃは、信号伝達、データアクセス、登録、サービス、および／または同様のことを提供することに関していくつかのモバイルデバイスを制限することができる。これは、例えば、モバイルデバイスのサービスプロバイダおよび制限付きアソシエーションアクセスポイントに少なくとも一部は基づくものとすることができる。他の例では、制限付きアソシエーションアクセスポイントは、アクセスを企業発行モバイルデバイスにのみ制限する企業アクセスポイントなどのいくつかのモバイルデバイスに関係するものとすることができる。したがって、モバイルデバイス２０６Ｄが、制限付きアソシエーション付けがあるため異なるアクセスポイント２０４Ｄおよび／または２０８Ｃのうちの１つまたは複数に関係するセルを再選択することができない場合、これは、接続先にできるアクセスポイントが見つかるまで他のランク付けされたアクセスポイントのうちの１つまたは複数でセル再選択を試みることができる。モバイルデバイス２０６Ｄが、関連付けが制限されているためアクセスポイント２０４Ｄおよび／または２０８Ｃに接続できない場合、これは、制限の理由を示す制限コードを受信することができる。
【００４１】
さらに、説明されているように、モバイルデバイス２０６Ａ〜２０６Ｉは、アクセス可能なアクセスポイントおよび／またはそのグループのリストを維持することができる。一例では、このリストには、他の種別のアクセスポイント（マクロセルなど）は実質的にどのようなモバイルデバイスからでもアクセス可能であるため、特定のいくつかの種別のアクセスポイント（フェムトセルなど）しか含めることができない。アクセス可能なアクセスポイントおよび／またはグループのリストは、最初は、例えば、説明されているように、基礎となる無線ネットワークから情報を取り出すことができる、モバイルデバイス２０６Ａ〜２０６Ｉと通信している１つまたは複数のアクセスポイントで埋められているものとすることができる。モバイルデバイス２０６Ａ〜２０６Ｉが、無線システム２００のカバレージエリア全域を移動し、説明されているようにセルを再選択すると、これは、最初に、セルを関連するリスト内に存在しているものとして検証することができる。一例では、モバイルデバイス２０６Ａ〜２０６Ｉが、説明されているように測定結果に基づいて１つまたは複数のフェムトセルアクセスポイント２０８Ａ〜２０８Ｃが最上位のセルであると判定した場合、これは、各フェムトセルアクセスポイントがリストに載っていることを検証できる。そうでない場合、モバイルデバイス２０６Ａ〜２０６Ｉは、フェムトセルアクセスポイントへのアクセスを試みないことを決定することができ、また次に高いランクのアクセスポイントと接続を試み、および／または異なる頻度で他のアクセスポイントを特定することを試みることができる。
【００４２】
上述のように、アクセスポイント２０４Ａ〜２０４Ｇおよび／または２０８Ａ〜２０８Ｃは、関係するメッセージ間でセクタパラメータが変更されているかどうかを示すセクタパラメータ署名を送信することができる。アクセスポイント２０４Ａ〜２０４Ｇおよび／または２０８Ａ〜２０８Ｃは、オーバーヘッドブロードキャストメッセージで送信するために、説明されているように、１つまたは複数の前のセクタパラメータ署名、システム時間、および識別子の知られている関数としてセクタパラメータ署名を生成することができる。セクタからセクタへ移動するモバイルデバイス２０６Ａ〜２０６Ｉは、アクセスポイント２０４Ａ〜２０４Ｇおよび／または２０８Ａ〜２０８Ｃ、グループ、またはそのセクタ、および／または同様のもののうちの１つまたは複数を識別するために署名を使用してセクタパラメータ署名を受信することができる。例えば、モバイルデバイス２０６Ａ〜２０６Ｉのうちの１つまたは複数は、１つまたは複数のアクセスポイント２０４Ａ〜２０４Ｇおよび／または２０８Ａ〜２０８Ｃからセクタパラメータ署名を受信することができ、また、署名を生成するために使用される知られている関数の少なくとも一部に基づいて予想されるセクタパラメータ署名を計算することができる。それに加えて、モバイルデバイス２０６Ａ〜２０６Ｉは、署名を決定するためにその関数とともに知られている値および予想される識別子を使用することができる。これらの値は、例えば、モバイルデバイス２０６Ａ〜２０６Ｉによって測定され、および／または１つまたは複数のアクセスポイント２０４Ａ〜２０４Ｇおよび／または２０８Ａ〜２０８Ｃの１つまたは複数の異なるパラメータから決定されるようなシステム時間を含むことができる。さらに、知られている値は、１つまたは複数のアクセスポイント２０４Ａ〜２０４Ｇの１つまたは複数の前のセクタパラメータ署名および／または予測されたセクタ関係識別子も含むことができる。
【００４３】
一例では、セクタパラメータ署名は、説明されているように、セクタパラメータメッセージ内のセクタパラメータに関係しうる。これらのパラメータは、例えば、ネットワーク識別子、国コード、位置情報（緯度および経度など）、システム時間、隣接要素リスト、無線アクセスパラメータ、および／またはセクタおよび／またはセクタを提供するアクセスポイントに関係する実質的に任意の他のパラメータを含むことができる。前述のパラメータのうちの１つまたは複数は、第１のセクタパラメータ署名を計算するために使用され、次いで、１つまたは複素のその後の署名は、これに基づくとともに、システム時間および識別子の関数としても表せる。この点に関して、システム時間、識別子、所定の時刻の署名、さらには知られている関数を知ることで、モバイルデバイス２０６Ａ〜２０６Ｉのうちの１つまたは複数が、未来の時点において署名を計算することができる。したがって、一例では、モバイルデバイス２０６Ａ〜２０６Ｉは、アクセスポイントとすでに通信しているか、または他の何らかの方法でアクセスポイントに関係するパラメータを受信している可能性がある。
【００４４】
計算された後、１つまたは複数のデバイス２０６Ａ〜２０６Ｉは、例えば、衝突の可能性のある識別がありうるかどうかを判定することができる。そうであれば、１つまたは複数のモバイルデバイス２０６Ａ〜２０６Ｉは、１つまたは複数のアクセスポイント２０４Ａ〜２０４Ｇおよび／または２０８Ａ〜２０８Ｃに関係するセクタからその後のセクタパラメータ署名を評価することができ、また、一致を判定するために予測されたセクタ識別子を使用して他の予想されるセクタパラメータ署名を計算することができる。予想される署名が、受信された署名と一致した場合、これは、一意的であるものとしてよい、識別子が、署名の生成で使用され、署名は、ランダム関数を使用して生成されるため、識別成功の可能性を高めることができる。セクタパラメータ署名は、データ列、データ構造体、プリミティブ型などとすることができることは理解されるであろう。一例では、署名は、文字列（例えば、１６ビット文字列）内に含まれるビットの数とすることができる。
【００４５】
一例では、１つまたは複数のモバイルデバイス２０６Ａ〜２０６Ｉは、その後の予想される署名の個数を計算し、それを受信された署名と比較することができる。この点で、識別の信頼度閾値が得られる。それに加えて、１つまたは複数のデバイス２０６Ａ〜２０６Ｉは、その後のアクションで決定されたセクタ関係識別子を使用することができる。例えば、説明されているように、１つまたは複数のモバイルデバイス２０６Ａ〜２０６Ｉは、識別子を使用して、１つまたは複数のアクセスポイント２０４Ａ〜２０４Ｇおよび／または２０８Ａ〜２０８Ｃまたは関係するグループが、可能なアクセスポイントまたはアクセスポイントの関係するグループの維持されているリスト中に存在することを検証することができる。もしそうであれば、１つまたは複数のモバイルデバイス２０６Ａ〜２０６Ｉは、１つまたは複数のアクセスポイント２０４Ａ〜２０４Ｇおよび／または２０８Ａ〜２０８Ｃとの通信を開始し、１つまたは複数のアクセスポイント２０４Ａ〜２０４Ｇおよび／または２０８Ａ〜２０８Ｃに関係する１つまたは複数のセルを再選択し、および／または１つまたは複数のアクセスポイント２０４Ａ〜２０４Ｇおよび／または２０８Ａ〜２０８Ｃにキャンプオンすることができる。キャンピングは、モバイルデバイスがスリープ状態に入り、定期的に目覚めて、アイドルモードからアクティブモードへの切り換えを生じうるページ、信号喪失、隣接セクタの測定結果などのイベントを受信するセクタ内のアイドルモードにおける動作を指すものとすることができる。
【００４６】
図３を参照すると、無線通信環境内で使用するための通信装置３００が示されている。通信装置３００は、基地局またはその一部、モバイルデバイスまたはその一部、または無線通信環境において送信されたデータを受信する実質的に任意の通信装置とすることができる。通信装置３００は、無線ネットワーク内のさまざまなアクセスポイント（図示されていない）からセクタパラメータ署名を受信するセクタパラメータ署名受信器３０２、１つまたは複数の予想される署名を計算することの少なくとも一部に基づいて予想されるセクタ関係識別子を決定することができるセクタ識別子判定器３０４、および１つまたは複数の計算された予想される署名と受信された署名とを比較してセクタ、アクセスポイント、関係するグループなどを予想される識別子から正しく識別することに関して信頼度を決定することができるセクタ識別子比較器３０６を備えることができる。この点で、信頼度が閾値を超えている場合（例えば、２つまたは３つの比較された予想される識別子）、通信装置３００は、その後、予想される識別子を使用することができる（例えば、説明されているように、セル再選択を実行するか、または他の何らかの方法で識別されたアクセスポイントおよび／または同様のものにおける通信を確立するために）。
【００４７】
一例によれば、セクタパラメータ署名受信器３０２は、１つまたは複数のアクセスポイントから送信された１つまたは複数のセクタパラメータ署名を受信することができ、署名は、一例において、オーバーヘッドブロードキャストメッセージ（拡張チャネル情報（ＥＣＩ）メッセージなど）で送信することができる。セクタパラメータ署名は、セクタパラメータメッセージのパラメータが前のセクタパラメータメッセージに関して変更されたかどうかを指示することができる。この点で、セクタパラメータ署名は、修正されたパラメータを決定するためにその後のセクタパラメータメッセージが受信されるべきであることを示すことができる。それに加えて、セクタパラメータ署名は、前のセクタパラメータ署名、システム時間、およびセクタ識別子、アクセスポイント識別子、アクセスポイントグループ識別子、および／または同様のものなどのセクタ関係識別子の知られている関数として生成されうる。セクタ識別子判定器３０４は、知られている関数および１つまたは複数の知られている値を使用し予想されるセクタ関係識別子を使用して予想されるセクタパラメータ署名を計算することができる。例えば、システム時間を使用することで、セクタ識別子判定器３０４は、知られている関数に基づいて予想されるセクタパラメータ署名を計算するために前のセクタパラメータ署名または推論された署名を供給することもできる。
【００４８】
セクタ識別子比較器３０６は、計算されたセクタパラメータ署名を受信されたセクタパラメータ署名と比較して、正しいセクタ関係識別子が計算において使用されたかどうかを判定することができる。したがって、セクタ関係識別子は、そのようなものを決定するためにセクタパラメータメッセージまたは他のメッセージを実際に読み出すことなく判定されうる。例えば、セクタ識別子比較器３０６は、セクタ識別子判定器３０４によって生成された多数のセクタパラメータ署名を受信された署名と比較することができる。この点で、正しい識別の信頼度は、説明されているように、計算された署名と受信された署名との正しい一致の数に基づいて達成されうる。しかし、セクタ識別子比較器３０６は、一例において、１つの計算されたセクタパラメータ署名から正しい識別を決定することができることは理解されるであろう。識別子は、セクタパラメータ署名を生成する際に使用され、一意的であるものとすることができるため、複数の署名を計算し、それらを各受信された署名と比較することで、セクタパラメータ署名計算において予想されるセクタ識別子を使用して正しい識別に対する高い尤度水準が得られる。この点で、通信装置３００は、セクタパラメータメッセージを実際に読み取るために時間またはリソースを費やすことなく１つまたは複数のセクタパラメータ署名からセクタ関係識別子を決定することができる。この識別子を使用することで、通信装置３００は、説明されているように、例えば、セクタ、アクセスポイント、および／またはアクセス可能なエンティティのリスト内の関係するグループを検証すること、この検証結果に基づいてセクタ内の通信を確立すること、セクタの１つまたは複数のセルを再選択すること、セクタにキャンプオンすること、および／または同様のことなど、セクタ内のその後の無線ネットワークアクションを実行することができる。
【００４９】
次に、図４を参照すると、無線通信ネットワーク内でセクタパラメータ署名を使用して識別子を指定することを容易にする無線通信システム４００が例示されている。無線デバイス４０２、アクセスポイント４０４、および／またはアクセスポイント４０６は、基地局、フェムトセル、モバイルデバイス、またはそれらの一部とすることができる。一例では、無線デバイス４０２は、逆方向リンクまたはアップリンクチャネルでアクセスポイント４０４および／または４０６に情報を送信することができ、他の無線デバイス４０２は、順方向リンクまたはダウンリンクチャネルでアクセスポイント４０４および／または４０６から情報を受信することができる。さらに、システム４００は、ＭＩＭＯシステムとすることができる。また、無線デバイス４０２に含まれる図に示され、以下で説明されるコンポーネントおよび機能は、一例では、アクセスポイント４０４および／または４０６にも同様に存在し、またその逆もありえ、ただし、図に示されている構成では、説明を簡単にするためにこれらのコンポーネントを省いている。
【００５０】
無線デバイス４０２は、関係するパラメータを評価することを容易にするためにアクセスポイント４０４および／または４０６からセクタパラメータ署名を受信するセクタパラメータ署名受信器４０８、１つまたは複数の計算されたセクタパラメータ署名と受信されたセクタパラメータ署名とを比較することの少なくとも一部に基づいて予想されるセクタ関係識別子を判定するセクタ識別子判定器４１０、アクセス可能なアクセスポイントおよび／またはアクセスポイントのグループに関係する識別子のリストを維持するアクセスリスト制御器４１２、およびセル再選択プロシージャを実行し、および／または１つまたは複数のアクセスポイントとの初期接続を確立することができるセル再選択器４１４を備える。一例では、無線デバイス４０２は、アクセスポイント４０４と通信している可能性があり、またセル再選択器４１４は、以下でさらに詳しく説明されているようにアクセスポイント４０６への再選択を実行することができる。
【００５１】
アクセスポイント４０６は、無線デバイス４０２などの、１つまたは複数の無線デバイスに無線ネットワークを介してブロードキャストするためのセクタパラメータメッセージを作成するセクタパラメータメッセージ生成器４１６を備える。セクタパラメータメッセージは、セクタ識別子などのアクセスポイント４０６の所定のセクタに関係する情報、および／またはセクタ内での通信に使用される追加パラメータを備えることができる。アクセスポイント４０６は、セクタパラメータメッセージに対する署名を作成するセクタパラメータ署名生成器４１８をさらに備える。署名は、セクタパラメータ署名を受信する無線デバイスが前の署名に基づいてパラメータが変更されたかどうかを効率的に判定できるように前のメッセージとともに使用されるメッセージおよびパラメータに基づいて生成されうる。それに加えて、説明されているように、セクタパラメータ署名生成器４１８は、説明されているように、システム時間およびセクタ関係識別子にさらの少なくとも一部に基づいてセクタパラメータ署名を生成することができる。メッセージおよび／または関係する署名は、前述のように、ＥＣＩチャネルなどのオーバーヘッドブロードキャストメッセージで送信することができる。
【００５２】
一例によれば、無線デバイス４０２は、無線通信サービスを受けるためにアクセスポイント４０４と通信している状態であり、また無線ネットワークのサービスエリア全域で移動している可能性がある。セル再選択器４１４は、信号強度、提供されるサービス、識別、データスループットなどの、アクセスポイントに関係するパラメータを測定することによって、無線デバイス４０２が範囲内で移動するときに異なるアクセスポイントによって運用されている周囲セクタを評価することができる。それに加えて、セル再選択器４１４は、上述の技術（望ましいアクセスポイントに関係するオフセットおよびヒステリシスなど）を使用して測定されたパラメータに応じてセクタをランク付けることができる。セクタが現在利用されているセクタより高いランクである場合、セル再選択器４１４は、新しいセクタを選択して、それに対するセル再選択を試みることができる。これは、アイドル状態で行われることがあり、その場合、無線デバイス４０２は新しいセクタにキャンプオンし、および／またはアクティブ状態で行われることがあり、その場合、無線デバイス４０２は新しいセクタと通信を続ける。それに加えて、セル再選択器４１４は、通信先となる初期セクタを選択するために使用されうる。さらに、セル再選択器４１４は、アクセスポイント４０６によって送信されるパイロット信号からセクタを提供するアクセスポイント４０６に関係するアクセスポイントおよび／またはグループ識別子を決定することができる。アクセスポイントは、アクセスリスト制御器４１２を介してアクセス可能なアクセスポイントおよび／またはグループのリストで検証することができる。
【００５３】
セクタパラメータメッセージ生成器４１６は、セクタ通信に関係する情報を備える１つまたは複数のセクタパラメータメッセージを作成することができる。それに加えて、セクタパラメータ署名生成器４１８は、前の署名に関してパラメータに変更があったかどうかを指定する、説明されているような署名を作成することができる。セル再選択器４１４は、再選択についてアクセスポイント４０６に関係するセクタを評価することができる。この点で、セクタパラメータ署名受信器４０８は、セクタパラメータ署名生成器４１８によって生成され、無線ネットワークにより送信されたアクセスポイント４０６に対するセクタパラメータ署名を受信することができる。署名を生成するための知られている関数を使用することによって、セクタ識別子判定器４１０は、予測されたセクタ関係識別子、時間、および予想されるパラメータから予測されうる前の署名に基づいて予想されるセクタパラメータ署名を計算することができる。予想されるパラメータは、周囲セクタとの前の通信、セクタの種別、ロケーション、および／または同様のものの少なくとも一部に基づいて指定できることは理解されるであろう。それに加えて、セクタ関係識別子は、セクタを提供するアクセスポイント４０６が信号伝達、データアクセス、登録、および／またはサービスに関して制限されていることを指示するアクセスポイントおよび／または制限付きグループ識別子を備えることができる。
【００５４】
説明されているように、セクタ識別子判定器４１０は、異なる時期に予想されるセクタ関係識別子を使用して複数の予想される署名を計算することができ、また、署名が、一意的であるものとしてよい識別子、知られている時間、および前の署名の知られている関数であるため、それらの署名を受信された署名と比較して正しい識別であると判定することができる。したがって、その後計算された予想される署名は、その署名が受信されるたび毎に変更されうるため正しい識別である可能性を高めることができる。セクタ識別子判定器４１０が、ある信頼度に対する１つまたは複素のセクタパラメータ署名に基づいてそのセクタ、アクセスポイント、グループ、および／または同様のものを識別した後、アクセスポイント４０６は、再選択についてアクセスポイントのリスト内でランク付けされうる。一例では、アクセスポイントまたは関係するセクタをランク付けする前、またはランク付けした後に、アクセスリスト制御器４１２は、アクセス可能なアクセスポイントおよび／またはグループのリスト内でセクタ関係識別子および／または関係グループ識別子を検証することができる。それがリスト内にあり、そのセクタが高いランクである場合、セル再選択器４１４は、アクティブ状態では、そのセクタ内の１つまたは複数のセルを再選択し、および／またはアイドル状態では、そのセクタにキャンプオンすることができる。それに加えて、説明されているように、セル再選択器４１４は、決定された識別子および／または他の計量を使用して、セクタ内の通信を最初に要求することができる。
【００５５】
一例によれば、セクタ識別子判定器４１０は、タイミングの少なくとも一部に基づいて計算すべき予想される識別子の数を決定することができる。したがって、無線デバイス４０２においてセル再選択に時間が十分ある場合、セクタ識別子判定器４１０は、署名が時間の経過とともに変わるときに、より信頼度の高い判定を行えるように予想されるセクタ関係識別子を使用してより多くのセクタパラメータ署名を計算することができる。上述のように、署名が、一意的で時間である場合もある識別子に基づいているので複数のセクタに対するセクタパラメータ署名間で衝突が発生する可能性があるけれども、署名は、その後の署名送信では異なりうる。したがって、計算され、比較される署名が多ければ多いほど、正しい識別となる確率は高まる。この点で、無線デバイス４０２は、セクタパラメータメッセージ生成器４１６によって生成されたセクタパラメータメッセージを読み出す必要はない、つまり、これらのメッセージが長く、また署名ほど頻繁にはブロードキャストされないため、時間とリソースの節約になる。
【００５６】
図５〜７を参照すると、セル再選択およびセクタパラメータ署名からのセクタ関係識別子の決定に関係する方法が例示されている。説明を簡単にするために、方法が図に示され、一連の活動として記述されているが、方法は、活動の順序によって制限されるわけではなく、いくつかの活動は、１つまたは複数の実施形態により、図に示され、本明細書で説明しているのと異なる順序で、および／または他の活動と同時に実行されうることが理解され、認識されるであろう。例えば、当業者であれば、代替として方法を一連の相互に関連のある状態またはイベントとして状態図などの中に表されることが可能であることを理解し、了解するであろう。さらに、１つまたは複数の実施形態による方法を実施するために、例示されているすべての活動が必要なわけではない。
【００５７】
図５を参照すると、無線通信におけるセル再選択を容易にする方法５００が、示されている。５０２では、周囲セルが、それらに関係する１つまたは複数のパラメータを決定するために測定される。説明されているように、パラメータは、信号強度、スループットなどの通信計量、および／またはアクセスポイント識別子、グループ識別子、セクタ識別子、提供されるサービス、関係するアクセスプロバイダなどの１つまたは複数の追加の考慮事項に関係しうる。それに加えて、パラメータは、機能強化された課金の態様、追加のサービス、または速度、および／または同様のものを提供する、ホームアクセスポイントによって提供されているセルに関係しうる。これらのパラメータは、望ましいアクセスポイント（例えば、ホームアクセスポイントなど）の考慮を高め、他のアクセスポイントの考慮を減らすためのオフセットまたはヒステリシスにも関係しうる。５０４で、周囲セルは、決定されたパラメータに従ってランク付けされうる。ランク付けは、無線通信サービスの提供元となる望ましいセルの順序を示すことができる。
【００５８】
５０６で、最上位のセルが現在使用されているセルかどうかを判定できる。このような判定は、最適なアクセスポイントとの接続を確実なものとするために使用できる。最上位のセルが、無線通信を受けるために現在使用されているセルである場合、この方法は、ステップ５０２に戻り、再び、周囲セルを測定する。これは、ネットワークをセル測定で氾濫させないため、またはセルを常時測定してリソースを消費しないように、一例ではタイマーに基づくものとすることができる。最上位のセルが、現在使用されているセルでない場合、５０８で、本明細書で説明されているように、セル再選択を実行して最上位のセルを再選択することができる。一例では、再選択が完了した後、一例における方法はステップ５０２に戻り、周囲セルの測定を続行することができることが理解されるであろう。説明されているように、アクセスポイントは、基地局、フェムトセル、および／または同様のものとすることができる。
【００５９】
図６を参照すると、無線ネットワークにおけるセクタ識別を容易にする方法６００が、示されている。６０２で、１つのセクタについて、セクタパラメータ署名が受信される。説明されているように、セクタパラメータ署名は、セクタパラメータメッセージのパラメータが変更されたかどうかを指定することに関係しうる。それに加えて、セクタパラメータ署名は、前のセクタパラメータ署名、システム時間、および識別子の知られている関数を使用して生成されうる。そこで、６０４で、予想されるセクタ関係識別子からセクタパラメータ署名が計算できる。知られている関数は、説明されているように、時間が知られていて、前のセクタパラメータ署名も、アクセスポイントに関係するすでに受信されている署名に基づいて知ることができ、および／または推論することができる場合に使用することができる。それに加えて、予測された識別子も使用することができる。いくつかの場合において、セクタパラメータ署名は、異なる、または類似のアクセスポイントに関する計算に使用することができる。
【００６０】
６０６で、計算された署名が受信された署名と一致しているかどうか（例えば、セクタパラメータメッセージを計算するために使用されるセクタ関係識別子が正しいかどうか）を判定することができる。説明されているように、これは、識別に利用可能な信頼度および／または時間に関係しうる。したがって、より多くの時間が利用可能であれば、この方法は６０２に進んで、追加のセクタパラメータ署名を受信して計算し、６０４で、別の予想されるセクタパラメータメッセージを計算することができる。それに加えて、複数の予想されるセクタパラメータ署名が計算される場合、６０６で、予想される署名を受信された署名と比較して、セクタ、アクセスポイント、アクセスポイントグループ、および／または同様のものが識別されたかどうかを判定することができる。説明されているように、予想される署名において一致が多ければ多いほど、正しい識別の可能性が高まる。６０８で、識別子が、セクタ接続プロシージャで使用することができる。説明されているように、これは、セクタへの初期接続、アクティブ状態の１つまたは複数の関係するセルへの再選択、アイドル状態のセクタに対するキャンプオン、および／または同様のことを含むことができる。説明されているように、アクセスポイントおよび／またはグループの維持されているリストに従ってセクタを提供するアクセスポイントにアクセスできるかどうかを判定するためにセクタパラメータ署名の前にパイロット信号を評価することができることは理解されるであろう。
【００６１】
図７を参照すると、パラメータの変更を指定するために無線ネットワークによりセクタパラメータ署名を送信する方法７００が、示されている。７０２で、セクタパラメータメッセージのパラメータが決定されうる。パラメータは、無線ネットワーク内での通信に関係するものとすることができる（例えば、セクタ識別子、アクセスパラメータなど）。７０４で、セクタパラメータ署名が、パラメータ、前の署名、システム時間、および／または識別子に基づいて生成されうる。したがって、セクタパラメータ署名は、前述の変数のうちの１つまたは複数の変数の知られている関数である。説明されているように、署名はパラメータおよび前のパラメータに基づき、関係するメッセージ間でパラメータが変更されたかどうかを示すことができる。他の例では、前の署名は、メッセージパラメータの変更を示すためにセクタパラメータ署名を生成する際に使用できる。７０６で、セクタパラメータ署名が無線ネットワークにより送信され、これにより、そのような識別を容易にすることができる。セクタパラメータ署名は、説明されているように、セクタパラメータメッセージ内のパラメータが変更されたかどうかを指示することもできることは理解されるであろう。
【００６２】
本明細書で説明されている１つまたは複数の態様により、パラメータを測定すること、パラメータ（および／または追加のパラメータ）に従ってセルをランク付けすることなどのセル再選択の多くの態様、さらには説明されているような実際の再選択の態様（再選択を実行する時期など）についても推論することができることは理解されるであろう。本明細書で使用しているように、「推論する」または「推論」という用語は、一般に、イベントおよび／またはデータを介して得られるような一組の観察結果から、システム、環境、および／またはユーザの状態を推理または推論するプロセスを指す。推論は、特定のコンテキストまたはアクションを識別するために使用されることができ、または例えば、複数の状態にわたる確率分布を生成することができる。推論は確率的であってよい、つまり、データおよびイベントの考察に基づいて注目している状態上の確率分布を計算することができる。推論は、さらに、一組のイベントおよび／またはデータから高水準のイベントを構成するために使用される手法を指す場合もある。このような推論を行うことで、イベント同士が時間的に近い関係による相関関係があるかどうか、またイベントおよびデータが１つまたは複数のイベントおよびデータソースを発生元としているかどうかに関係なく、一組の観察されたイベントおよび／または格納されているイベントデータから新しいイベントまたはアクションが構築される。一例では、推論は、説明されているように、前のセクタパラメータ署名を推論することに基づく識別など、測定時にセルのパラメータを決定する際に追加的に行うことができる。
【００６３】
図８は、セクタパラメータ署名の少なくとも一部に基づいてアクセスポイントを識別することを容易にするモバイルデバイス８００を示している。モバイルデバイス８００は、例えば、受信アンテナ（図に示されていない）から信号を受信し、受信された信号に対し典型的なアクションを実行し（例えば、フィルタ処理、増幅、ダウンコンバートなどを行い）、調整信号を２値化してサンプルを得る受信機８０２を備える。受信機８０２は、受信したシンボルを復調し、それらのシンボルをチャネル推定のためプロセッサ８０６に送ることができる復調装置８０４を備えることができる。プロセッサ８０６は、受信機８０２によって受信された情報を分析し、および／または送信機８１６よる送信のため情報を生成することを専ら行うプロセッサ、モバイルデバイス８００の１つまたは複数のコンポーネントを制御するプロセッサ、および／または受信機８０２によって受信された情報を分析し、送信機８１６による送信のため情報を生成し、モバイルデバイス８００の１つまたは複数のコンポーネントを制御する作業すべてを行うプロセッサとすることができる。
【００６４】
モバイルデバイス８００は、それに加えて、プロセッサ８０６に動作可能なように結合され、送信すべきデータ、受信されたデータ、利用可能なチャネルに関係する情報、分析された信号および／または干渉強度に関連するデータ、割り当てられたチャネル、電力、速度などに関係する情報、およびチャネルを推定し、チャネルを介して通信するのに適した他の情報を格納することができるメモリ８０８を備えることができる。メモリ８０８は、それに加えて、チャネル（例えば、性能ベース、容量ベースなど）を推定し、および／または利用することに関連するプロトコルおよび／またはアルゴリズムを格納することができる。
【００６５】
本明細書で説明されているデータストア（例えば、メモリ８０８）は、揮発性メモリまたは不揮発性メモリのいずれかであるか、または揮発性メモリと不揮発性メモリの両方を備えることができることは理解されるであろう。例えば、限定はしないが、不揮発性メモリとしては、読み取り専用メモリ（ＲＯＭ）、プログラム可能ＲＯＭ（ＰＲＯＭ）、電気的プログラム可能ＲＯＭ（ＥＰＲＯＭ）、電気的消去可能ＰＲＯＭ（ＥＥＰＲＯＭ）、またはフラッシュメモリが挙げられる。揮発性メモリとしては、外部キャッシュメモリとして動作するランダムアクセスメモリ（ＲＡＭ）が挙げられる。例えば、限定はしないが、利用可能なＲＡＭとしては、同期ＲＡＭ（ＳＲＡＭ）、ダイナミックＲＡＭ（ＤＲＡＭ）、同期ＤＲＡＭ（ＳＤＲＡＭ）、Ｄｏｕｂｌｅ  Ｄａｔａ  Ｒａｔｅ  ＳＤＲＡＭ（ＤＤＲ  ＳＤＲＡＭ）、Ｅｎｈａｎｃｅｄ  ＳＤＲＡＭ（ＥＳＤＲＡＭ）、Ｓｙｎｃｈｌｉｎｋ  ＤＲＡＭ（ＳＬＤＲＡＭ）、およびＤｉｒｅｃｔ  Ｒａｍｂｕｓ  ＲＡＭ（ＤＲＲＡＭ）などさまざまな形態のものが挙げられる。本発明のシステムおよび方法のメモリ８０８は、限定はしないが、これらのメモリおよび他の好適な種類のメモリを備えることを意図されている。
【００６６】
プロセッサ８０６および／または受信機８０２は、説明されているように、その後のパラメータメッセージについてセクタパラメータが変更されているかどうかを示す１つまたは複数のアクセスポイントからのセクタパラメータ署名を受信することができるパラメータ署名受信器８１０に動作可能なようにさらに結合できる。それに加えて、セクタパラメータメッセージは、説明されているように、前の署名、システム時間、および識別子の知られている関数として生成されている可能性がある。プロセッサ８０６は、説明されているように、１つまたは複数の知られている値（例えば、時間および前の署名）を持つ知られている関数においてセクタ関係識別子を使用して予想されるセクタパラメータ署名を計算することができるセクタ識別子判定器８１２にさらに動作可能なように結合することができる。セクタ識別子８１２は、関係するセクタ、アクセスポイント、グループなどの正しい識別を確認するためにその後の署名から多数の予想される識別子を計算することができる。モバイルデバイス８００は、説明されているように、識別（通信初期化、セル再選択など）の少なくとも一部に基づいてその後のアクションを実行することができる。モバイルデバイス８００は、さらに、信号を変調する変調装置８１４、および例えば、基地局、他のモバイルデバイスなどに信号を送信する送信機８１６を備える。プロセッサ８０６から分離しているように図に示されているけれども、パラメータ署名受信器８１０、セクタ識別子判定器８１２、復調装置８０４、および／または変調装置８１４は、プロセッサ８０６または複数のプロセッサ（図示されていない）の一部であってもよいことは理解されるであろう。
【００６７】
図９は、セクタパラメータメッセージの変更の識別および指示のためにセクタパラメータ署名を生成することを容易にするシステム９００を示している。システム９００は、複数の受信アンテナ９０６を通じて１つまたは複数のモバイルデバイス９０４から信号（１つまたは複数）を受信する受信機９１０、および送信アンテナ９０８を通じて１つまたは複数のモバイルデバイス９０４に送信する送信機９２４を有する基地局９０２（例えば、アクセスポイント、フェムトセル、…）を備える。受信機９１０は、受信アンテナ９０６から情報を受信することができ、受信された情報を復調する復調装置９１２に動作可能なように関連付けられている。復調されたシンボルは、図８に関して上で説明されているプロセッサに類似していてもよい、また信号（例えば、パイロット）強度および／または干渉強度を推定することに関係する情報、（複数の）モバイルデバイス９０４（または異なる基地局（図に示されていない））に送信されるか、または（複数の）モバイルデバイス９０４（または異なる基地局（図に示されていない））から受信されるべきデータ、および／または本明細書で述べられているさまざまなアクションおよび機能を実行することに関係する他の好適な情報を格納するメモリ９１６に結合されている、プロセッサ９１４によって解析される。プロセッサ９１４は、セクタに対する１つまたは複数の通信パラメータを示す、説明されているような、セクタパラメータメッセージを作成するパラメータメッセージ生成器９１８にさらに結合される。プロセッサ９１４は、前の署名に関してメッセージのパラメータが変更されているかどうかを示すセクタパラメータ署名を作成することができるパラメータ署名生成器９２０にさらに結合される。
【００６８】
一例によれば、パラメータ署名生成器９２０は、セクタパラメータ署名を、さらに、前の署名、システム時間、および識別子の関数として生成することができ、送信機９２４は、その署名を１つまたは複数のモバイルデバイス９０４に送信することができる。したがって、モバイルデバイス９０４は、時間および前の署名を知ることで、および／または推論することで予想されるセクタ関係識別子を決定することができる。一例では、予想される署名は、モバイルデバイス９０４が、説明されているように、前の署名を受信していなかった場合に使用できる。さらに、プロセッサ９１４から分離しているように図に示されているけれども、パラメータメッセージ生成器９１８、パラメータ署名生成器９２０、復調装置９１２、および／または変調装置９２２は、プロセッサ９１４または複数のプロセッサ（図示されていない）の一部であってもよいことは理解されるであろう。
【００６９】
図１０は、例示的な無線通信システム１０００を示している。無線通信システム１０００は、簡単にするため１つの基地局１０１０および１つのモバイルデバイス１０５０として示されている。しかし、システム１０００は、複数の基地局および／または複数のモバイルデバイスを備えることができ、追加の基地局および／またはモバイルデバイスは、後述の例の基地局１０１０およびモバイルデバイス１０５０に実質的に類似していても異なっていてもよいことは理解されるであろう。それに加えて、基地局１０１０および／またはモバイルデバイス１０５０は、本明細書で説明されているシステム（図１〜４および８〜９）、および／または方法（図５〜７）を使用することでそれらの間の無線通信を容易に行えるようにできることは理解されるであろう。
【００７０】
基地局１０１０では、多数のデータストリームのトラヒックデータが、データソース１０１２から送信（ＴＸ）データプロセッサ１０１４に送られる。一例によれば、それぞれのデータストリームは、各アンテナで送信されうる。ＴＸデータプロセッサ１０１４は、そのデータストリームについて選択された特定のコード体系に基づいてトラヒックデータストリームをフォーマットし、符号化し、インターリーブして、符号化データを出力する。
【００７１】
それぞれのデータストリームについて符号化されたデータは、直交周波数分割多重（ＯＦＤＭ）技術を使用してパイロットデータと多重化できる。それに加えて、またはその代わりに、パイロットシンボルは、周波数分割多重化されるか（ＦＤＭ）、時分割多重化されるか（ＴＤＭ）、または符号分割多重化されうる（ＣＤＭ）。パイロットデータは、典型的には、知られている方法で処理され、チャネル応答を推定するためにモバイルデバイス１０５０において使用できる知られているデータパターンである。それぞれのデータストリームに対する多重化されたパイロットおよび符号化データは、そのデータストリームに対し選択された特定の変調方式（例えば、二位相偏移変調（ＢＰＳＫ）、四位相偏移変調（ＱＰＳＫ）、Ｍ位相偏移変調（Ｍ−ＰＳＫ）、またはＭ値直交振幅変調（Ｍ−ＱＡＭ）など）に基づいて変調され（つまり、シンボルマッピングされ）、変調シンボルを出力することができる。それぞれのデータストリームに対するデータ転送速度、符号化、および変調は、プロセッサ１０３０によって実行されるか、または与えられる命令によって決定されうる。
【００７２】
データストリームに対する変調シンボルが、ＴＸ  ＭＩＭＯプロセッサ１０２０に送られ、そこでさらに、変調シンボルを処理することができる（例えば、ＯＦＤＭ用に）。次いで、ＴＸ  ＭＩＭＯプロセッサ１０２０は、ＮＴ個の変調シンボルストリームをＮＴ個の送信機（ＴＭＴＲ）１０２２ａ〜１０２２ｔに送る。さまざまな実施形態において、ＴＸ  ＭＩＭＯプロセッサ１０２０は、ビームフォーミング重みをデータストリームのシンボルに適用し、またシンボルの送信元であるアンテナに適用する。
【００７３】
それぞれの送信機１０２２は、それぞれのシンボルストリームを受信し、処理して、１つまたは複数のアナログ信号を生成し、さらに、それらのアナログ信号を調整（例えば、増幅、フィルタ処理、およびアップコンバート）して、ＭＩＭＯチャネルで伝送するのに適した変調信号を生成する。さらに、送信機１０２２ａ〜１０２２ｔのＮＴ個の変調信号は、ＮＴ個のアンテナ１０２４ａ〜１０２４ｔからそれぞれ送信される。
【００７４】
モバイルデバイス１０５０では、送信された変調信号は、ＮＲ個のアンテナ１０５２ａ〜１０５２ｒにより受信され、それぞれのアンテナ１０５２からの受信された信号は、それぞれの受信機（ＲＣＶＲ）１０５４ａ〜１０５４ｒに送られる。それぞれの受信機１０５４は、それぞれの信号を調整（例えば、フィルタ処理、増幅、およびダウンコンバート）し、調整信号を２値化して、サンプルを形成し、さらに、それらのサンプルを処理して対応する「受信」シンボルストリームを形成する。
【００７５】
ＲＸデータプロセッサ１０６０は、特定の受信機処理技術に基づいてＮＲ個の受信機１０５４からＮＲ個の受信機シンボルストリームを受信して、処理し、ＮＴ個の「検出」シンボルストリームを形成することができる。ＲＸデータプロセッサ１０６０は、それぞれの検出シンボルストリームを復調し、逆インターリーブし、復号して、そのデータストリームに対するトラヒックデータを復元することができる。ＲＸデータプロセッサ１０６０による処理は、基地局１０１０におけるＴＸ  ＭＩＭＯプロセッサ１０１４およびＴＸデータプロセッサ１０２０により実行される処理を補完するものである。
【００７６】
プロセッサ１０７０は、上述のようにどのプリコーディング行列を使用するかを定期的に決定することができる。さらに、プロセッサ１０７０は、行列添え字部分および階数値部分を備える逆方向リンクメッセージを構成することができる。
【００７７】
逆方向リンクメッセージは、通信リンクおよび／または受信データストリームに関するさまざまな種類の情報を備えうる。リバースリンクメッセージは、さらにデータソース１０３６から多数のデータストリームに対するトラヒックデータを受信するＴＸデータプロセッサ１０３８によって処理され、変調装置１０８０によって変調され、送信機１０５４ａ〜１０５４ｒによって調整され、基地局１０１０に送り返されうる。
【００７８】
基地局１０１０では、モバイルデバイス１０５０からの変調信号は、アンテナ１０２４によって受信され、受信機１０２２によって調整され、復調装置１０４０によって復調され、ＲＸデータプロセッサ１０４２によって処理され、こうして、モバイルデバイス１０５０によって送信されたリバースリンクメッセージを抽出する。さらに、プロセッサ１０３０は、抽出されたメッセージを処理して、ビームフォーミング重みを決定するためにどのプリコーディング行列を使用するかを決定することができる。
【００７９】
プロセッサ１０３０および１０７０は、それぞれ、基地局１０１０およびモバイルデバイス１０５０におけるオペレーションを指令する（例えば、制御、調整、管理などを行う）ことができる。各プロセッサ１０３０および１０７０は、プログラムのコードおよびデータを格納するメモリ１０３２および１０７２に関連付けることができる。プロセッサ１０３０および１０７０は、さらに、それぞれアップリンクおよびダウンリンクに対する周波数およびインパルス応答推定を導出する計算を実行することもできる。
【００８０】
本明細書で説明されている実施形態は、ハードウェア、ソフトウェア、ファームウェア、ミドルウェア、マイクロコード、またはこれらの任意の組合せで実装することができることは理解されるであろう。ハードウェアによる実装では、処理ニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、コントローラ、マイクロコントローラ、マイクロプロセッサ、本明細書で説明されている機能を実行するように設計されている他の電子ユニット内に、またはこれらの組合せで実装することができる。
【００８１】
これらの実施形態が、ソフトウェア、ファームウェア、ミドルウェアまたはマイクロコード、プログラムコード、またはコードセグメントで実装される場合、これらは、記憶装置コンポーネントなどの機械可読媒体内に格納することができる。コードセグメントは、プロシージャ、関数、サブプログラム、プログラム、ルーチン、サブルーチン、モジュール、ソフトウェアパッケージ、クラス、または命令、データ構造体、もしくはプログラムステートメントの任意の組合せを表すことができる。コードセグメントは、情報、データ、引数、パラメータ、またはメモリ内容を受け渡し、および／または受信することにより、他のコードセグメントまたはハードウェア回路に結合されるようにできる。情報、引数、パラメータ、データなどは、メモリ共有、メッセージパッシング、トークンパッシング、ネットワーク伝送などを含む、任意の好適な手段を使用して受け渡されるか、転送されるか、または伝送されるようにできる。
【００８２】
ソフトウェアによる実装では、本明細書で説明されている技術は、本明細書で説明されている機能を実行するモジュール（例えば、プロシージャ、関数など）で実装することができる。ソフトウェアコードは、メモリユニット内に格納され、プロセッサにより実行されうる。メモリユニットは、プロセッサ内に、またはプロセッサの外部に実装することができ、その場合、当技術分野で知られているようにさまざまな手段を介してプロセッサに通信可能なように結合することができる。
【００８３】
図１１を参照すると、セクタパラメータ署名の少なくとも一部に基づいてセクタ識別子を決定するシステム１１００が、示されている。例えば、システム１１００は、基地局、フェムトセル、モバイルデバイスなどの中に配置されうる。図示されているように、システム１１００は、プロセッサ、ソフトウェア、またはこれらの組合せ（例えば、ファームウェア）によって実装される機能を表すことができる機能ブロックを備える。システム１１００は、連携動作する電気コンポーネントの論理グループ１１０２を含む。論理グループ１１０２は、アクセスポイントから第１のセクタパラメータ署名を受信するための手段１１０４を備えることができる。説明されているように、署名は、知られている関数を使用して生成することができ、またセクタパラメータメッセージ間でセクタパラメータが変更されたかどうかを示すことができる。さらに、論理グループ１１０２は、予測された識別子、前のセクタパラメータ署名、および第１のセクタパラメータ署名を送信するためのシステム時間とともに知られている関数を使用して第２のセクタパラメータ署名を計算するための手段１１０６を備えることができる。したがって、この知られている関数は、時間および前に受信されたまたは推論された署名で予想される識別子の計算を行えるように前の署名、時間、および予測された識別子を使用することができる。さらに、論理グループ１１０２は、第１のセクタパラメータ署名と第２のセクタパラメータ署名とを比較して識別子と予測された識別子との一致を判定するための手段１１０８を備えることができる。説明されているように、署名は、知られているか、または推論されたパラメータを使用して生成されるので、その後の署名から計算された追加の識別子は、一例では、正しい識別の可能性を高めることができる。それに加えて、システム１１００は、電気コンポーネント１１０４、１１０６、および１１０８に関連付けられている機能を実行するための命令を保持するメモリ１１１０を備えることができる。電気コンポーネント１１０４、１１０６、および１１０８は、メモリ１１１０の外部にあるものとして示されているが、メモリ１１１０内に存在していてもよいことは理解されるであろう。
【００８４】
次に、図１２を参照すると、セクタ識別を容易にするために知られている関数を使用してセクタパラメータ署名を生成するシステム１２００が示されている。例えば、システム１２００は、基地局、フェムトセル、モバイルデバイスなどの中に配置されうる。図示されているように、システム１２００は、プロセッサ、ソフトウェア、またはこれらの組合せ（例えば、ファームウェア）によって実装される機能を表すことができる機能ブロックを備える。システム１２００は、セクタパラメータ署名を生成することを容易にすることができる電気コンポーネントの論理グループ１２０２を含む。論理グループ１２０２は、セクタにおける通信に関係する１つまたは複数のパラメータを備えるセクタパラメータメッセージを生成するための手段１２０４を備えることができる。説明されているように、メッセージは、セクタ関係識別子などの、セクタに対する１つまたは複数の通信パラメータを備えることができる。さらに、論理グループ１２０２は、セクタパラメータメッセージ、識別子、およびシステム時間の少なくとも一部に基づいてセクタパラメータ署名を生成するための手段１２０６も備えることができる。署名は、現在のメッセージと前のメッセージとでパラメータが変化している場合など、メッセージのパラメータに関する情報を示すことができる。さらに、論理グループ１２０２は、識別を容易にするために無線ネットワークによりセクタパラメータ署名を送信するための手段１２０８も備えることができる。この点で、セクタパラメータメッセージは、受信デバイスによって読み出される必要はなく、むしろ、署名を使用して識別が行われうる。したがって、セクタ識別に要する時間とリソースの節約につながりうる。それに加えて、システム１２００は、電気コンポーネント１２０４、１２０６、および１２０８に関連付けられている機能を実行するための命令を保持するメモリ１２１０を備えることができる。電気コンポーネント１２０４、１２０６、および１２０８は、メモリ１２１０の外部にあるものとして示されているが、メモリ１２１０内に存在していてもよいことは理解されるであろう。
【００８５】
上述した内容は、１つまたは複数の実施形態の複数の例を含む。もちろん、上述の実施形態を説明するためにコンポーネントまたは方法の考えられるすべての組合せを説明することは不可能であるが、当業者であれば、さまざまな実施形態のさらに多くの組合せおよび置換が可能であることを了解できる。したがって、説明されている実施形態は、付属の請求項の精神と範囲内に収まるすべてのそのような改変、修正、および変更形態を包含することを意図されている。さらに、「含む、備える（ｉｎｃｌｕｄｅ）」という言い回しが詳細な説明または請求項で使用されている範囲において、「備える（ｃｏｍｐｒｉｓｉｎｇ）」が使用された場合に請求項の中で接続語として解釈されるのでこのような用語は「備える（ｃｏｍｐｒｉｓｉｎｇ）」という用語と同様の使い方で包含的であることが意図される。さらに、説明されている態様および／または実施形態の要素は、単数形で説明または請求されている場合があるが、単数形に限定されることが明示的に述べられていない限り、複数形が考慮される。それに加えて、任意の態様および／または実施形態の全部または一部は、別段の指定のない限り、他の態様および／または実施形態の全部または一部とともに使用することができる。
【００８６】
本明細書で開示されている実施形態に関して説明されているさまざまな例示的な論理回路、論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラム可能論理デバイス、ディスクリートゲートまたはトランジスタロジック、ディスクリートハードウェアコンポーネント、または本明細書で説明されている機能を実行するように設計されているこれらの任意の組合せにより実装または実行することができる。汎用プロセッサは、マイクロプロセッサであってよいが、代替として、プロセッサは、任意の従来のプロセッサ、コントローラ、マイクロコントローラ、または状態機械であってよい。プロセッサは、コンピューティングデバイスの組合せ、例えば、ＤＳＰとマイクロプロセッサの組合せ、複数のマイクロプロセッサ、ＤＳＰコアと連携する１つまたは複数のマイクロプロセッサ、または他のそのような構成として実装することもできる。それに加えて、少なくとも１つのプロセッサは、上述のステップおよび／またはアクションのうちの１つまたは複数を実行するように動作可能な１つまたは複数のモジュールを備えることができる。
【００８７】
さらに、本明細書で開示されている態様に関して説明されている方法またはアルゴリズムのステップおよび／またはアクションは、ハードウェアで直接、ハードウェアにより実行されるソフトウェアモジュールにより、またはこれら２つの組合せにより実現することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能ディスク、ＣＤ−ＲＯＭ、または当技術分野で知られている他の形態の記憶媒体に格納することができる。例示的な記憶媒体は、プロセッサがその記憶媒体から情報を読み込み、その記憶媒体に情報を書き込めるようにプロセッサに結合されうる。代替形態では、記憶媒体は、プロセッサに一体化することができる。さらに、いくつかの態様では、プロセッサおよび記憶媒体は、ＡＳＩＣに収めることもできる。それに加えて、ＡＳＩＣは、ユーザ端末に収めることができる。代替形態では、プロセッサおよび記憶媒体は、ユーザ端末内のディスクリートコンポーネントとして配置することができる。それに加えて、いくつかの態様では、方法またはアルゴリズムのステップおよび／またはアクションは、コンピュータプログラム製品に組み込むことが可能な、機械可読媒体および／またはコンピュータ可読媒体上にコードおよび／または命令のうちの一方または組合せまたはセットとして配置されうる。
【００８８】
１つまたは複数の態様において、説明されている関数は、ハードウェア、ソフトウェア、ファームウェア、またはこれらの組合せで実装することができる。ソフトウェアで実装された場合、これらの関数は、コンピュータ可読媒体上で１つまたは複数の命令もしくはコードとして格納または伝送されうる。コンピュータ可読媒体は、一方の場所から他方の場所へのコンピュータプログラムの転送を容易にする媒体を含むコンピュータ記憶媒体と通信媒体の両方を含む。記憶媒体は、コンピュータによってアクセスできる利用可能な媒体とすることができる。例えば、限定はしないが、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または命令またはデータ構造体の形態で所望のプログラムコードを搬送または格納するために使用することができ、またコンピュータによってアクセスできる他の媒体を備えることができる。また、任意の接続を、コンピュータ可読媒体と呼んで差し支えない。例えば、ソフトウェアが同軸ケーブル、光ファイバケーブル、ツイストペア線、デジタル加入者回線（ＤＳＬ）、または赤外線、ラジオ、およびマイクロ波などの無線テクノロジを使用してウェブサイト、サーバー、または他のリモートソースから送信される場合、同軸ケーブル、光ファイバケーブル、ツイストペア線、ＤＳＬ、または赤外線、ラジオ、およびマイクロ波などの無線テクノロジは、媒体の定義に含まれる。本明細書で使用されているような、「Ｄｉｓｋ」と「Ｄｉｓｃ」（両方とも日本語ではディスク）は、コンパクトディスク（ＣＤ）、レーザーディスク（登録商標）、光ディスク、デジタル多用途ディスク（ＤＶＤ）、フロッピディスク、およびブルーレイディスクを含み、「Ｄｉｓｋ」は通常磁気的にデータを再現し、「Ｄｉｓｃ」は通常レーザーを使って光学的にデータを再現する。上記の組合せも、コンピュータ可読媒体の範囲に収まらなければならない。
【図１】
2011504689.tif 000003
【図２】
2011504689.tif 000004
【図３】
2011504689.tif 000005
【図４】
2011504689.tif 000006
【図５】
2011504689.tif 000007
【図６】
2011504689.tif 000008
【図７】
2011504689.tif 000009
【図８】
2011504689.tif 000010
【図９】
2011504689.tif 000011
【図１０】
2011504689.tif 000012
【図１１】
2011504689.tif 000013
【図１２】
2011504689.tif 000014
【国際調査報告】
2011504689.tif 000015
2011504689.tif 000016